(57)【要約】本発明は特に折り込む文書および封筒の同時集積と同時に、ただ１回の通過で完成する郵便物封筒の入手のための同時折込みを可能にする連続する郵便物封筒の作成ライン向けの集積方法に関する。この方法は、集積段階で折り込み文書(1)が積み上げられ、これらの文書(1)が事前決定ピッチ(P)で前進し、文書(1)を少なくとも部分的に含む封筒(2)が山積みされる点ならびに、排出段階では、積み上げられると同時に、折込み区間方向に前記事前決定ピッチ(P)だけずらされる文書(1) および封筒(2)により形成される組合せが排出される点を特徴とする。用途：郵便物封筒の作成ラインなど【選択図】図３
2009513458.tif 000002
【特許請求の範囲】
【請求項１】
少なくとも１つの文書の引き込みの段階、積み重ねと前記文書の少なくとも１つの縁上での整列による文書の集積段階、ならびに積み重ね文書の排出段階が含まれる文書の集積方法において、前記集積段階で少なくとも１つの第１タイプの文書(1)が積み重ねられ、前記第１タイプの文書(1)が事前決定されるピッチ(P)で前進させられ、少なくとも部分的に前記第１タイプの文書(1)を含む少なくとも１つの第２タイプの文書(2)が積み重ねられること、ならびに前記排出段階で積み重ねられると同時に前記事前決定ピッチ(P)だけずらされた前記第１および第２タイプの文書(1,2)により構成される組み合わせが排出されることを特徴とする、文書(1,2)の集積方法。
【請求項２】
文書(2)のタイプのうち１つが封筒包みの外側であると同時に別タイプの文書(1)の周囲に封筒が作り出されるように１枚の封筒包みを形成するために、前記文書の組合せ(1,2)が折り込まれる前記排出段階の後に続く折込み段階が含まれることを特徴とする請求項１に記載の方法。
【請求項３】
前記第２タイプの文書が前記封筒包みの外側にあるよう仕向けられると同時に開いた状態の封筒(2)を構成すること、ならびに前記第１タイプの文書が前記封筒包みの内側であるよう仕向けられると同時に前記封筒(2)に含まれる文書(1)を構成することを特徴とする請求項２に記載の方法。
【請求項４】
前記第２タイプの文書(2)の長さが前記第１タイプの文書(1)より短いことを特徴とする請求項２または請求項３に記載の方法。
【請求項５】
前記事前決定ピッチ(P)が前記集積文書(1,2)の長さに応じた媒介変数であることを特徴とする請求項１に記載の方法。
【請求項６】
前記事前決定ピッチ(P)が前記第１タイプ文書(1)の長さのほぼ1/3に等しいことを特徴とする請求項１に記載の方法。
【請求項７】
前記引き込み段階で、各封筒がこれに対応する文書に続く連続処理により交互に引き込まれ、前記文書と前記封筒がこれらの組合せにより封筒包みが構成されるよう仕向けられることを特徴とする請求項３に記載の方法。
【請求項８】
各封筒(2)が同一封筒(2)に入れられるよう仕向けられる多数の文書(1)の後に続くことを特徴とする請求項７に記載の方法。
【請求項９】
前記第１タイプに対応する文書(1)および前記第２タイプに対応する文書(2)が前記集積段階前に予め検知されることならびに少なくとも前期集積段階が検知情報に応じて制御装置により案内されることを特徴とする請求項１に記載の方法。
【請求項１０】
素材あるいは印刷済の材料のリール巻きから郵便物封筒への閉じ込みまでの連続処理により、より一般的な郵便封書の作成方法に組み込まれることを特徴とする請求項１に記載の方法。
【請求項１１】
引き込み区間と排出区間間の文書(1,2)の循環行程(T)を相互間に定めるために平行かつ隣接して重ねて置かれる少なくとも２本のコンベヤー(11,12)ならびに前記文書(1,2)の集積区間を構成するために前記行程(T)上に挿入される少なくとも１台の整列止め具(15)が含まれ、前記整列止め具(15)が駆動手段に連結される文書の集積装置において、少なくとも部分的に第１タイプの文書(1)を含む少なくとも１つの第２タイプの文書(2)の積み重ね前に少なくとも１つの前記第１タイプ文書(1)を事前決定ピッチ(P)分だけ前進させるとともに、積み重ねられかつ前記事前決定ピッチ(P)分だけずらされる前記第１および第２タイプの文書(1,2)により構成される組み合わせを排出させるように、前記整列止め具(15)の少なくとも１台の前記駆動手段を案内するための少なくとも１台の制御装置が含まれ、前記制御装置が前記第１および第２タイプの文書(1,2)の識別用に設置される検知装置により自動制御されることを特徴とする文書(1,2)の集積装置(10)。
【請求項１２】
前記整列止め具(15)に前記文書(1,2)の前記行程(T)に配置される母線上に接触する少なくとも１組の駆動ローラー(16)が含まれることを特徴とする請求項１１に記載の装置。
【請求項１３】
前記集積区間に、上部あるいは下部を通じて集積される前記文書(1,2)を積み重ねるように、前記コンベヤー(11,12)により定められる前記行程(T)に関して前記文書(1,2)を上方あるいは下方に向けてずらすために設置される少なくとも１台の偏向器(17)が含まれることを特徴とする請求項１１に記載の装置。
【請求項１４】
素材あるいは印刷済の材料のリール巻きから郵便物封筒に閉じ込まれるまでの連続処理による郵便物封筒作成ラインに組み込まれるよう仕向けられることを特徴とする請求項１１に記載の装置。
【発明の詳細な説明】
【技術分野】
【０００１】
本発明は少なくとも１つの文書の引き込みの段階、これらの縁の少なくとも１つの縁にわたる積み重ねと整列による文書の集積段階、ならびにその積み重ね文書の排出段階が含まれる、特に紙あるいは同等のリール材料からの郵便物封筒の作成ライン向けの文書の集積方法に関する。
【０００２】
本発明はまた引き込み区間と排出区間間で前記文書のための相互間行程を定めるために平行かつ隣接して重なって配置される少なくとも２台のコンベヤーならびに文書の集積区間を構成するためにこの行程に挿入される少なくとも１台の整列止め具が含まれる文書の集積装置にも関係し、この整列止め具は駆動手段に連結される。
【背景技術】
【０００３】
文書の集積装置は、文房具の分野、例えば郵便物封筒の作成用機械の中で良く知られている。既知の集積装置は、特許文献１や特許文献２の公開図書に説明される装置のように予め作成された封筒中に折り畳まれると同時に挿入されるよう仕向けられるほぼ一様なサイズの文書の積み重ねのために設置される。特許文献３および特許文献４の公開図書に説明されるようなその他の装置もサイズの異なる文書の集積向けに考案さえられている。いずれにしても、これらの装置は文書の各様式専用の供給および/または集積区間が必要とされ、これにより機構が複雑となると同時に実施コストがかかる。
【特許文献１】US 6,796,558
【特許文献２】DE 103.35.418
【特許文献３】DE 94.04.431
【特許文献４】US 5,445,368
【発明の開示】
【０００４】
本発明は郵便物封筒の連続的作成方法のさらに包括的な範囲内で新たなニーズに応える新しい文書の集積方法が提案されるものであり、折り込まれる文書とこれらの文書を入れるための充てられる封筒が同一のリール紙から郵便物封筒の作成順番で同時に作成され、これにより簡単で経済的かつ信頼性のある集積装置を利用した郵便物封筒の完全度の保証とその全体コストの統一的な削減が可能となる。
【０００５】
このため、本発明は集積段階で少なくとも１つの第１タイプ文書が積み上げられ、事前決定ピッチで前記第１タイプ文書が前進し、第１タイプ文書を少なくとも部分的に含む少なくとも１つの第２タイプ文書が積み上げられること、ならびに排出段階で積み上げられかつ前記事前決定ピッチだけずれた第１および第２文書により構成される組合せが排出されることを特徴とする序文で示された類の方法に関する。
【０００６】
好ましい実施例の一形態では本方法に排出段階に続く折込み段階が含まれ、この段階でどちらかのタイプの文書が封筒包みの外側であると同時に他のタイプの文書の周囲に封筒が作り出されるよう封筒包みの形成用の文書の組合せが折り込まれる。
【０００７】
第２タイプの文書により例えば封筒包みの外側に仕向けられると同時に開いた状態の封筒が構成されることが好ましい。第１タイプの文書により例えば封筒包みの内側にあるよう仕向けられると同時に多数の文書を構成可能である封筒の内容物が構成されるのが好ましい。封筒を構成する第２タイプの文書の長さは第１タイプの文書よりも短くてよい。
【０００８】
事前決定ピッチは集積文書の長さに応じた媒介変数であるのが便利である。例えば、これは第１タイプの文書の長さのほぼ1/3に等しい。
【０００９】
好ましい実施形態では、集積段階前に第１タイプに対応する文書ならびに第２タイプに対応する文書は予め検知されるとともに、検知情報に応じて制御装置により少なくとも集積段階に案内される。
【００１０】
この集積方法は素材あるいは印刷済のリール巻き材料から閉じ込まれる郵便物封筒までの連続処理により郵便物封筒のさらに一般的な作成方法に組み込まれるのが便利である。
【００１１】
この目的で、本発明は少なくとも部分的に第１タイプの文書が含まれる少なくとも１つの第２タイプの文書の積み上げ前までに少なくとも１つの第１タイプの文書を事前決定ピッチだけ前進させるとともに、積み上げられかつ前記事前決定ピッチだけずらされた第１および第２タイプの文書により構成される組み合わせを排出するように、少なくとも前記整列止め具の駆動手段を案内するための少なくとも１台の制御装置が含まれ、この制御装置が第１および第２タイプの文書の識別のために設置される検知手段により自動制御されることを特徴とする序文に示される類の集積装置にも関する。
【発明を実施するための最良の形態】
【００１２】
図１は折込み装置20が後に続く本発明による文書1,2の集積装置10を示し、２台の装置10,20は部分的に示される同一フレーム30により支持される。このフレームには、既知である上図示はされないが、これらの駆動手段等の少なくとも１台の制御装置の移動部品駆動手段が装備される竜骨状の構造体が含まれ脚上に支えられる。集積10と折込み20の２台の装置は分離されると同時に異なるフレームにより支持されるのは当然である。
【００１３】
この集積装置10には知られているように、引き込み区間と集積区間を経由する排出区間との間に矢印Fに応じた相互間文書1,2の循環行程Tが定められるために、平行にかつ隣接するように重なって配置される２台のコンベヤー11,12が含まれる。この行程Tは水平面に位置するのが好ましいが同時に軽く傾斜されても良い。例示される例では、各コンベヤー11,12が少なくとも文書1,2の幅を覆う幅にわたって等間隔で配分される４本の駆動ベルト13から構成される。このベルト13の本数は限定されず集積文書1,2の幅に応じて変動しうる。これらの駆動ベルト13は引き込みおよび排出の区間に配される駆動ローラー14、好ましくは条溝により誘導されると同時に、あらゆる既知のタイプの、例えば、１連の歯車装置による伝動装置付きの原動減速器、歯切りベルトなど図示はされていない駆動手段に連結される。２台のコンベヤー11,12の駆動ベルト13は矢印Fに応じて文書1,2が摩擦により運ばれるために面対面で向かい合って配置されるのは当然である。
【００１４】
集積装置10の装置には、知られるように、２台のコンベヤー11,12間の集積区間を区画するための文書1,2の行程T内に挿入される整列止め具15が含まれる。例示された例では、整列止め具15は文書1,2の循環行程Tを通って母線上に接触する２組の駆動ローラー16から構成される。これらの２組の駆動ローラー16は文書1,2に加えられる駆動応力を均衡させるため集積装置10の中間面に関して対称な４組の駆動ベルト13間に差し込まれる。これらは、例えば、駆動ローラー16を用いて止め縁に整列させられる文書1,2の積み上げによる集積を生ませるための停止や、排出区間の方に積み上げられる文書1,2の駆動を生ませるための回転を指令するサーボモーターなどのあらゆる既知のタイプの図示はされていない駆動手段により回転駆動される。これらの駆動手段は、後でさらに説明される集積方法により、集積文書1および2の長さに応じた媒介変数の事前決定ピッチPで積み上げ文書1を前進させるよう中間の集積段階時に駆動ローラー16の駆動のため案内される。
【００１５】
この集積装置10には、同じく知られるように、その集積区間に少なくとも１台の偏向器17あるいは持上げ器が含まれ、これらは整列止め具15の下流に位置すると同時に、下部あるいは上部から文書1,2が積み上げられるようにコンベヤー11,12により定められる行程Tに関して上方にあるいは下方に文書1,2がずらされるため設置される。例示された例では、集積装置10には４台の偏向器17が含まれ、うち２台は下部に位置するコンベヤー11に組み込まれ、他の２台は文書1,2の行程T上部に位置するコンベヤー12に組み込まれる。各偏向器17は対応する４本の駆動ベルト13に向かい合って配置される４つのディスク18から構成され、これらのディスク18はフレーム30に取り付けられる軸19により支持される。この軸19の回転は固定あるいは自由のどちらでもありうる。これは文書1,2の行程Tに関するディスク18の高さ調整のため調節も可能である。ディスク18には駆動ベルト13の平行誘導のために利用される２つの横内壁を区切る深い周辺溝部18'が含まれる。この例では、文書を持ち上げると同時に下部を通じて（図２参照）文書1,2の積み上げを生み出すために２台の下部偏向器17が軽く文書1,2の行程Tに関して押し上げられる。他の偏向器あるいは持上げ器もすべて、例えば、ベルト13間に差し込まれる傾斜斜路のように順応するのは勿論である。
【００１６】
折込み装置20には、知られるように、少なくとも２つのその深さが調節可能である折込みポケット25,26と組み合わされた数組の平行な駆動シリンダー21〜24が含まれる。これらのシリンダーは、文書1,2の長さおよび作成封筒の奥行きに応じて案内が可能であるよう適合された図示はされていないあらゆる既知タイプの駆動手段により回転駆動される。折込みポケット25,26の数はシリンダーの組の数と同様に作成封筒の数に応じて変動可能である。
【００１７】
集積文書1,2は、図３に図示された例では、封筒への挿入に充てられる第１タイプの文書1、例えばA4様式の用紙、ならびに、例えば、フォーマット110x220ミリの封筒の形成に向けられる第２タイプの文書である。当然ながら、これらはこれらの例に限定されるものではなく他の文書1および封筒2のフォーマットにも適合しうる。最初に簡単に説明された郵便物封筒の新型の連続作成方式によると、これらの文書1,2は同一リールの材料、例えば紙で折込みの順番に次々に印刷される。次にこれらは切断され、事前決定間隔で分離されたのち、集積装置10および折込み装置20に送られる。次に、封筒2の折り返しが糊付けされると同時に郵便物封筒を閉じるために折り込まれて、郵便に出す準備ができることになる。
【００１８】
この図３により、薄い網目枠により表された文書1、および濃い網目枠により表される封筒2の集積方法、集積装置10の整列止め具15を太線で表す右端部、ならびにこの装置の文書1,2の連続循環方向を示す矢印Fが５段階で図示できる。
すなわち、段階１：整列止め具15が停止すると同時に第１文書1が取り上げられる、段階２：整列止め具15が停止すると同時に第１文書1の上あるいは下に積み上げられる第２文書1が取り上げられる、段階３：整列止め具15が始動すると同時に、例えば文書の長さのおよそ1/3の事前決定ピッチP、すなわち、Ａ４様式文書の場合およそ95ミリで積み上げられた２つの文書1が運ばれる、段階４：整列止め具15が停止すると同時に封筒2が取り上げられる、段階５：整列止め具15が始動すると同時に２つの文書1および封筒2により形成される山が折込み装置20の方向に排出される。
【産業上の利用可能性】
【００１９】
この集積方法の様々な段階が集積装置10および折込み装置20を示す図４から図１０に詳細に示されている。
【００２０】
図４Ａ〜図４Ｃは図３の段階１に対応し、整列止め具15が停止し、コンベヤー11,12により運ばれる第１文書1が止め具に対し集積区間で停止すると同時に、第２文書1が集積装置10に達する。
図４Ｃは図４Ａの詳細Ａを示し、左側下部の偏向器17が軽く持上げられた位置ならびにコンベヤー11,12により連続して運ばれる第２文書1を下部から受け入れるため下部コンベヤー11に関して軽く持上げられた第１文書1についての効果が見て分かるように拡大されている。
【００２１】
図５Ａ〜図５Ｃは図３の段階３に対応しており、整列止め具15が折込み装置20の方向に事前決定ピッチPだけ第１および第２文書1の移動のため起動する。図５Ｃは図５Ａの詳細Ｂを示しており、右側下部偏向器17の軽く持上げられた位置およびコンベヤー11,12により運ばれ続ける封筒2の下部を通じて受け入れるための下部コンベヤー11に関して持上げられる第１および第２文書1により形成された山についての効果が見て分かるように拡大されている。
【００２２】
図６Ａ〜図６Ｃは図３の段階４に対応し、整列止め具15が停止すると同時に、コンベヤー11,12により運ばれる封筒2が文書1の下に積み上げられると同時に、図６Ａの詳細Ｂを示す図６Ｃに図示されるように前記事前決定ピッチPだけずらされる。
【００２３】
図７Ａ〜図７Ｂは図３の段階５に対応し、整列止め具15が折込み装置20の方向に文書１および封筒2により形成される山を排出するため起動する。
【００２４】
図８Ａ〜図８Ｃでは、図８Ａの詳細Ｃを示す図８Ｃに図示されるように駆動シリンダー21,22間で前記の文書1のずらされる部分すなわちその長さのおよそ最初の1/3が第２の1/3上に折り返される間に、第１封筒の形成のため第１組駆動シリンダー21により文書1および封筒2により得られる山が折込み装置20の第１ポケット25の方に向けられる。
【００２５】
図９Ａ〜図９Ｃは、第２組駆動シリンダー22により折込み装置20の第２ポケット26の方に予め向けられる前記第１封筒が、図９Ａの詳細Ｄを示す図９Ｃに示されるように、封筒2の最初の半分を同時に折り返して文書１の第２の1/3を第３の1/3上に折り返す、駆動シリンダー22および23の間に向けられる間の第２封筒の形成を図示する。
【００２６】
図１０Ａ〜図１０Ｃは得られる封筒包みを示し、この中で、２回折り込まれる文書1は１回折り曲げられる封筒2の内部にあり、横方向折り返しおよび封筒2の閉封折り返しは開いたままである。この封筒包みは、横方向折り返しが糊付けされると同時に封筒2の裏に折り返された後、閉封折り返しが糊付けされると同時に郵便物封筒を閉じる封筒2の裏にも折り返される郵便物封筒の完成区間（図示されず）の方に、図１０Ａの詳細Ｅを示す図１０Ｃに示されるように第４組駆動シリンダー24により排出される。
【００２７】
封筒の内容を形成する文書1にせよ、封筒2自体にせよ、上記で説明された集積方法の繰り返しに合わせて、結果として整列止め具15の駆動ローラー16を制御するため、集積装置10および折込み装置20は、集積装置10に引き込まれる文書1,2のタイプの識別を可能にする偏向器により案内される制御装置（図示されない）により自動制御される。これらの偏向器は既知のあらゆるタイプのピックアップすなわち、光学探触子により、超音波により、赤外線により、カメラなどにより構成可能であると同時に、バーコードあるいは同様なものを読取る文書1,2の各タイプの最初と最後の視覚化が可能である。
【００２８】
この説明から本発明により設定目標の達成が可能となること、すなわち、これにより、その封筒と唯一の行程Tの後に続く様々なタイプの文書1,2、に伴う内容の完全性を保証してあらゆるミスの危険が避けられるただ１回のみの操作での郵便物封筒作成のために、整列止め具15の特別な案内装置を介して、様々なタイプ、特に長さが様々な文書1,2の集積が可能となることが明らかとなる。
【００２９】
本発明は説明された実施例に限定されないが、付録の請求項に定義される保護範囲に留まる専門家にとって明らかなあらゆる変更および変型例が含まれる。
【図面の簡単な説明】
【００３０】
本発明ならびにその利点は次の付録の図を参照して非限定的な例として挙げられるある実施形態例に関する説明でさらに詳しく明らかになろう。
【００３１】
【図１】本発明による集積装置の透視図
【図２】図１の矢印II-IIによる図１の装置の横断方向断面の拡大詳細図
【図３】本発明による集積方法に関する５段階の模式図
【図４Ａ】機能の第１段階における図１の装置を模式的に示した側面図
【図４Ｂ】機能の第１段階における図１の装置を模式的に示した状面図
【図４Ｃ】機能の第１段階における図１の装置を模式的に示した詳細図
【図５Ａ】別の機能段階に関する図４Ａと同様の図
【図５Ｂ】別の機能段階に関する図４Ｂと同様の図
【図５Ｃ】別の機能段階に関する図４Ｃと同様の図
【図６Ａ】別の機能段階に関する図４Ａと同様の図
【図６Ｂ】別の機能段階に関する図４Ｂと同様の図
【図６Ｃ】別の機能段階に関する図４Ｃと同様の図
【図７Ａ】別の機能段階に関する図４Ａと同様の図
【図７Ｂ】別の機能段階に関する図４Ｂと同様の図
【図８Ａ】別の機能段階に関する図４Ａと同様の図
【図８Ｂ】別の機能段階に関する図４Ｂと同様の図
【図８Ｃ】別の機能段階に関する図４Ｃと同様の図
【図９Ａ】別の機能段階に関する図４Ａと同様の図
【図９Ｂ】別の機能段階に関する図４Ｂと同様の図
【図９Ｃ】別の機能段階に関する図４Ｃと同様の図
【図１０Ａ】別の機能段階に関する図４Ａと同様の図
【図１０Ｂ】別の機能段階に関する図４Ｂと同様の図
【図１０Ｃ】別の機能段階に関する図４Ｃと同様の図
【図１】
2009513458.tif 000003
【図２】
2009513458.tif 000004
【図３】
2009513458.tif 000005
【図４Ａ】
2009513458.tif 000006
【図４Ｂ】
2009513458.tif 000007
【図４Ｃ】
2009513458.tif 000008
【図５Ａ】
2009513458.tif 000009
【図５Ｂ】
2009513458.tif 000010
【図５Ｃ】
2009513458.tif 000011
【図６Ａ】
2009513458.tif 000012
【図６Ｂ】
2009513458.tif 000013
【図６Ｃ】
2009513458.tif 000014
【図７Ａ】
2009513458.tif 000015
【図７Ｂ】
2009513458.tif 000016
【図８Ａ】
2009513458.tif 000017
【図８Ｂ】
2009513458.tif 000018
【図８Ｃ】
2009513458.tif 000019
【図９Ａ】
2009513458.tif 000020
【図９Ｂ】
2009513458.tif 000021
【図９Ｃ】
2009513458.tif 000022
【図１０Ａ】
2009513458.tif 000023
【図１０Ｂ】
2009513458.tif 000024
【図１０Ｃ】
2009513458.tif 000025
【国際調査報告】
2009513458.tif 000026
2009513458.tif 000027
2009513458.tif 000028
2009513458.tif 000029
2009513458.tif 000030
2009513458.tif 000031